(57)【要約】      （修正有）【課題】静電気を利用して、シートの均一帯電性能を向上し、微物を迅速かつ的確に吸着して採取できる微物吸着採取装置を提供する。【解決手段】吸着採取シート１と、このシートに帯電を誘発させる帯電誘発装置とを備える。前記シートは可撓性かつ絶縁性の合成樹脂製シート１０の一方の表面に、ポリウレタン系樹脂、アクリル系樹脂、前記両樹脂の共重合体、その他のウレタン／アクリル系樹脂を均一に印刷して肉厚が１．０μｍないし１０．０μｍの被膜層１１を形成して構成する。帯電誘発装置は、少なくとも−２０ＫＶ以上の負の電圧を出力させる構成を具備している。【選択図】図１
0003194967.tif 000002
【実用新案登録請求の範囲】
【請求項１】
静電気を利用して微物を吸着して採取する微物吸着採取装置であって、
吸着採取シートと、当該吸着採取シートに帯電を誘発させる帯電誘発装置とを備え、
前記吸着採取シートは、可撓性かつ絶縁性の合成樹脂製シートの一方の表面に、ポリウレタン系樹脂、アクリル系樹脂、前記両樹脂の共重合体、その他のウレタン／アクリル系樹脂の被膜層を形成して構成され、
前記帯電誘発装置は、少なくとも−２０ＫＶ以上の負の電圧を出力させる機能を具備している
ことを特徴とする微物吸着採取装置。
【請求項２】
前記合成樹脂製シートが塩化ビニルシートであることを特徴とする請求項１に記載の微物吸着採取装置。
【請求項３】
前記被膜層を形成する素材がウレタン／アクリル系樹脂であることを特徴とする請求項１に記載の微物吸着採取装置。
【請求項４】
前記合成樹脂製シートの肉厚は２．５ｍｍないし４．５ｍｍであり、前記被膜層の肉厚は１．０μｍないし１０．０μｍであることを特徴とする請求項１ないし３のいずれかに記載の微物吸着採取装置。
【請求項５】
前記帯電誘発装置は出力電圧を−２０ＫＶないし−３０ＫＶに設定されていることを特徴とする請求項１に記載の微物吸着採取装置。
【考案の詳細な説明】
【技術分野】
【０００１】
本考案は、毛髪や繊維片、或は足跡などの塵や土砂等の微物を静電気により吸着して採取する微物吸着採取装置に関する。本考案は、特に例えば犯罪捜査に当たり、足跡や毛髪などの犯人の情報を転写・採取するために用いる警察鑑識用として使用するのに適している。
【背景技術】
【０００２】
例えば、事件現場に残された被疑者の足跡や毛髪などの情報は、犯罪を立証する証拠となるため、情報の採取は事件の解決に重要な作業となる。足跡は、現場で採取する作業と、被疑者から押収した履物を採取する作業とがあり、両者の履物底のキズの有無、キズの形状、磨り減り具合など僅かな違いを対比する照合作業が行われ、両者が一致すれば犯罪を立証する有力な証拠となる。
【０００３】
従来、微物吸着採取装置として、塩化ビニルにアルミ箔などをはり付けたシートに、帯電を誘発させる装置からでた電荷で前記シートに静電気を発生させ、靴底から床面に着いた微物をシートに付着させて足跡などを採取する技術が一般に知られている（先行例１）。
【０００４】
また、他の先行技術として、実開平１−１３２９５２号公報（特許文献１）には、高電圧印加による静電気を利用して微物を採取する微物採取装置（先行例２）が開示されている。さらに、実開平１−１３７４５４号公報（特許文献２）には、剥離帯電による静電気を利用して微物を採取する微物採取フィルム（先行例３）が開示されている。
【先行技術文献】
【特許文献】
【０００５】
【特許文献１】実開平１−１３２９５２号公報
【特許文献２】実開平１−１３７４５２号公報
【考案の概要】
【考案が解決しようとする課題】
【０００６】
上記先行例は次のような問題を有している。
【０００７】
先行例１は、シートの帯電性能が弱く、シートに均一な帯電性能が得られない、帯電誘発装置の電荷発生能力の弱さなどで、足跡の微物採取に多くの時間を要する問題を有している。
【０００８】
先行例２は、アルミ電極板を上下両側から塩化ビニル板で挟んでサンドイッチ構造とした採取板を、手押し車に起伏自在に装着したもので、携帯には適さない。また、前記採取板は、アルミ電極板に塩化ビニル板を張り付けて構成したものであるため、高電圧印加（電源イオン）により塩化ビニル板を帯電させて、これに微物を吸着させることはできるが、電源を切ったときの逆電流により塩化ビニル板が逆帯電してしまい、その結果、それまで吸着していた微物が再び離れてしまう問題を有している。
【０００９】
先行例３は、合成樹脂シートの裏面に粘着層を設け、この粘着層により離型紙を重合させたもので、携帯には便利であるが、離型紙を剥離した際の剥離帯電によって合成樹脂シートを帯電させるもので、その帯電電位が弱く、しかも一般に剥離帯電は、電位にムラが生じ易いと共に、プラス帯電部分とマイナス帯電部分とが、合成樹脂シートの表面に複雑な帯電模様を形成して無数に混在した状態となるので、十分かつ均一な吸着力を得ることができないため、限られたものしか採取できない問題を有している。
【００１０】
本考案は上記のような実情に鑑みてなされたもので、シートの均一帯電性能を向上させ、強力な吸着力により足跡や毛髪その他の微物を迅速かつ的確に採取でき、しかも携帯に便利である微物吸着採取装置を提供することを目的とするものである。
【課題を解決するための手段】
【００１１】
上記目的を達成するため、本考案のうち、１つの考案（第１の考案）は、静電気を利用して微物を吸着して採取する微物吸着採取装置であって、
吸着採取シートと、当該吸着採取シートに帯電を誘発させる帯電誘発装置とを備え、
前記吸着採取シートは、可撓性かつ絶縁性の合成樹脂製シートの一方の表面に、ポリウレタン系樹脂、アクリル系樹脂、前記両樹脂の共重合体、その他のウレタン／アクリル系樹脂の被膜層を形成して構成され、
前記帯電誘発装置は、少なくとも−２０ＫＶ以上の負の電圧を出力させる機能を具備していることを特徴とする。
【００１２】
本考案の他の１つの考案（第２の考案）は、第１の考案の微物吸着採取装置において、前記合成樹脂製シートが塩化ビニルシートであることを特徴とする。
【００１３】
本考案のさらに他の１つの考案（第３の考案）は、第１の考案の微物吸着採取装置において、前記被膜層を形成する素材がウレタン／アクリル系樹脂であることを特徴とする。
【００１４】
本考案のさらに他の１つの考案（第４の考案）は、第１ないし第３の考案の微物吸着採取装置において、前記合成樹脂製シートの肉厚は２．５ｍｍないし４．５ｍｍであり、前記被膜層の肉厚は１．０μｍないし１０．０μｍであることを特徴とする。
【００１５】
本考案のさらに他の１つの考案（第５の考案）は、第１の考案の微物吸着採取装置において、前記帯電誘発装置は出力電圧を−２０ＫＶないし−３０ＫＶに設定されていることを特徴とする。
【考案の効果】
【００１６】
本考案によれば、次のような作用効果を奏する。
（１）吸着採取シートの均一帯電性能を向上させ、強力な吸着力により毛髪や繊維片、或は足跡などの塵や土砂等の微物を合成樹脂製シートに迅速（例えば約５秒ないし約１０秒間程度）かつ、的確に吸着して採取することができる。
（２）上記（１）により、微物が例えば床面上の足跡によるものであれば、足跡が合成樹脂製シートに吸着されることにより、足跡を恰も転写したように鮮明な像を採取することができる。
（３）合成樹脂製シートは可撓性を有するため、微物を採取しようとする面に凹凸があっても、微物を確実に吸着して採取することができる。
（４）携帯及び保管に便利である。
【図面の簡単な説明】
【００１７】
【図１】本考案の一実施形態の微物吸着採取装置の構成を概略的に示す図であって、同図（ａ）は吸着採取シートの説明斜視図、同図（ｂ）は同図（ａ）のＡ−Ａ線で切断し、その一部を拡大して示す説明断面図、同図（ｃ）は帯電誘発装置の説明側面図ある。
【図２】前記微物吸着採取装置の使用状態を示す説明図であって、同図（ａ）は吸着採取シートを、微物を採取する所望の床面等の採取面上に被せて敷設した状態を示す説明図、同図（ｂ）は作用説明図である。
【考案を実施するための形態】
【００１８】
以下、図面を参照して本考案の実施形態の一例について説明する。
【００１９】
図１及び図２は本考案の一実施形態の微物吸着採取装置を示す。図１及び図２に示すように、本実施形態の微物吸着採取装置は、吸着採取シート１と、このシート１に帯電を誘発する帯電誘発装置２とを備える。
【００２０】
吸着採取シート１の大きさは特に限定されないが、例えば巾：約４０ｃｍないし約１００ｃｍ程度に形成できる。但し、上記範囲に限定するものではない。前記シート１の長さも特に限定されないが、一般に長尺（例えば約５ｍ〜約１０ｍ程度）に形成できる。前記シート１はロール状に巻回して保管され、所要時に所望の長さに切断して使用される。なお、当初より所望の長さに形成し、そのまま使用するように構成することも可能である。
【００２１】
前記吸着採取シート１は、可撓性に富む軟質かつ絶縁性の塩化ビニルその他の合成樹脂製シート１０の一方の表面の全域に樹脂製の被膜層１１を形成して構成されている。
【００２２】
前記被膜層１１を形成する素材としては、ポリウレタン系樹脂、アクリル系樹脂、ポリウレタン系樹脂とアクリル系樹脂の共重合体、その他のウレタン／アクリル樹脂系の樹脂を採用する。
【００２３】
前記合成樹脂製シート１０の肉厚は特に限定されないが、例えば約２ｍｍないし約５ｍｍ、好ましくは約２．５ｍｍないし約４．５ｍｍ程度の範囲を挙げることができる。前記シート１０の肉厚を２ｍｍ以下に形成すると損傷し易くなるおそれがあり、また、５ｍｍ以上に形成すると柔軟性の面において、目的の面にフィットして接触させ得ない等の問題が生じるおそれがある。また、重量も重くなる。
【００２４】
前記被膜層１１の肉厚（層厚）は全体に均一ないし略均一に形成することが好ましい。被膜層の肉厚は特に限定されないが、例えば約１μｍないし約１０μｍ、好ましくは約１．５μｍ〜約６μｍ、さらに好ましくは約２．０μｍ〜約４．０μｍ程度の範囲を挙げることができる。前記被膜層１１の厚みを１μｍ以下に形成すると、被膜層が薄過ぎて、その期待する作用が弱くなる問題が生じるおそれがある。この場合、被膜層の作用については追って説明する。また、逆に被膜層の肉厚を１０μｍ以上に形成すると、被膜層の肉厚を均一に形成できない場合が生じる等、形成加工上等における問題が生じるおそれがある。
【００２５】
被膜層１１の形成手段（コーチング手段）としては、特に限定するものではなく塗布する方法や印刷加工を採用できるが、印刷による加工処理方法が好ましい。本実施形態では印刷により被膜層を形成する方法を採用している。
【００２６】
合成樹脂製シート１０の一方の表面の全体に上述した樹脂を印刷加工等により被膜層１１を形成することにより、シート１０の被膜層側の表面は前記被膜層により帯電防止作用が付与される。
【００２７】
なお、上記の場合において、所望に応じて被膜層１１に金属粒子や導電性金属酸化物粒子などを含有する帯電防止剤を分散させて含有する構成を採用してもよい。上記帯電防止剤の前記粒子は、粒子の平均粒径が例えば約０．２μｍ以下であることが好ましい。
【００２８】
前記金属粒子としては、例えば、金、銀、銅、白金、錫、チタン等を採用できる。また、前記導電性金属酸化物粒子としては、例えばＳｎＯ２、ＺｎＯ、ＴｉＯ２、ＭｇＯ、Ａｌ２Ｏ３等を採用できる。
【００２９】
前記ウレタン／アクリル系樹脂に対する前記帯電防止剤の配合比は所望に応じて決定する。そして、前記帯電防止剤を前記ウレタン／アクリル系樹脂に分散させて含有させ、この帯電防止剤含有のウレタン／アクリル系樹脂を印刷等により前記合成樹脂製シートに塗布して被膜層１１を形成する。
【００３０】
上記のように構成した吸着採取シート１は、被膜層１１が形成されている面を上方に向け、微物を採取する所望の床面等の採取面３上に被せるように敷設して使用される。
【００３１】
合成樹脂製シート１０の一方の表面に前記被膜層１１を形成することにより、前記シートに静電気を均一に帯電させることができると共に均一帯電性能を向上させる。被膜層１１を形成することにより、上述した作用を発揮する理由は明確には説明できないが、合成樹脂製シートの一方の面に被膜層１１により帯電防止作用を付与したことが要因になるものであると思われる。上記作用効果をもたらす事実は研究・実験の成果として判明したものである。
【００３２】
前記帯電誘発装置２は、吸着採取シートに帯電を誘発する装置である。帯電誘発装置２は、約−２０ＫＶ以上（例えば約−２０ＫＶないし約４０ＫＶ）の負の高電圧を発生して出力する高電圧発生出力回路部（符号省略）を内蔵した本体２０を備える。本体２０は乾電池を収容する電池収容部２１と、トリガー２２（引き金）とを備える。また、本体２０のアース端子（符号省略）にはアース２３ａのアースコード２３が接続されている。
【００３３】
本実施形態の帯電誘発装置２は、出力電圧を約−２５ＫＶに調整して設定されている。また、最大電流は約−１０μｍＡないし約−３０μｍＡに調整して設定されている。また、前記帯電誘発装置２は、トリガー２２を操作（引く）することにより、本体２０の先端２４の出口から電荷を放射するように構成されている。
【００３４】
前記帯電誘発装置２は、乾式の静電塗装装置において、一般的に使用されている構成を具備したガンを採用できる。本実施形態では前記ガンを採用している。
【００３５】
本実施形態の微物吸着採取装置は上記構成を具備して成っている。次に使用方法の一例及び作用効果等について説明する。
【００３６】
図２に示すように、吸着採取シート１の被膜層１１の面を上方に向け、微物を採取する床面その他の採取面３上に前記シート１を被せて敷設する。そして、アース２３ａを接地すると共に本体２０の電源スイッチ（図示せず）をＯＮにし、本体２０を手で持って、トリガー２２を操作して、図２（ｂ）に矢印４で示すように、本体２０の先端部２４の出口から放射される電荷を前記シート１上に照射する。
【００３７】
上記により、合成樹脂製シート１０は強力な静電気により均一に帯電する。したがって、図２（ｂ）に示すように、強力な吸着力により、毛髪や繊維片、或は足跡などの塵や土砂等の微物５を図２（ｂ）の矢印６で示すように、合成樹脂製シート１０に迅速（例えば約５秒ないし約１０秒程度）かつ、的確に吸着して採取できる。この場合において、微物５が足跡であれば、足跡が恰も転写したように鮮明な像を採取することができる。
【００３８】
なお、上記した実施形態は一例として開示したもので、本考案は上記の実施形態に限定されるものではなく、実用新案登録請求の範囲に記載の技術思想を越脱しない範囲において任意に変更可能なものである。
【符号の説明】
【００３９】
１      吸着採取シート
２      帯電誘発装置
５      微物
１０    合成樹脂製シート
１１    被膜層
２０    本体
【図１】
0003194967.tif 000003
【図２】
0003194967.tif 000004